(57)【要約】【課題】  専用のハンガーに支持させたインナーウエアを、見栄え良く引き立たせて見せ、また、顧客の関心を引き付けることが十分に吟味検討された、収納袋付きハンガーを提供すること。【解決手段】左右方向に向けられた肩部の中央上端部から上方に向けてフック部が設けられ、前記肩部の左右個所にインナーウエアを両側から係止させて支持させる係止部が設けられたハンガーと、該ハンガーの横幅よりも狭い横幅を有し、該ハンガーのフック部の首元又は前記肩部に掛止されて吊り下げられる収納袋と、が組み合わされた収納袋付きハンガーにした。【選択図】図１
0003131787.tif 000002
【実用新案登録請求の範囲】
【請求項１】
左右方向に向けられた肩部の中央上端部から上方に向けてフック部が設けられ、前記肩部の左右個所にインナーウエアを両側から係止させて支持させる係止部が設けられたハンガーと、該ハンガーの横幅よりも狭い横幅を有し、該ハンガーのフック部の首元又は前記肩部に掛止されて吊り下げられる収納袋と、が組み合わされて成ることを特徴とする収納袋付きハンガー。
【請求項２】
前記収納袋は、前記ハンガーに支持されて陳列販売されているインナーウエアの購入があったときにこれを収納するための持ち帰り用の袋であり、折り畳まれた状態で前記ハンガーに支持されている請求項１に記載の収納袋付きハンガー。
【請求項３】
前記収納袋は、その内部に販売促進用の景品を収納した袋である請求項１に記載の収納袋付きハンガー。
【請求項４】
前記収納袋は、袋口の近傍面になる正面側上部面と背面側上部面の各中央個所に夫々前記フック部を挿通させ得る大きさを有する横長形状のフック部挿入口が形成されて成り、
前記正面側上部面と前記背面側上部面とが重ね合わされ、更に重ね合わされた状態にあるこれらの上部面における前記フック挿入口の両側部分から上方に位置する袋上部分が下方に折り返されて、
この折り返された部分と、この折り返された部分に対向している袋面との間に、前記ハンガーの肩部を挟んだ状態で、物品収納袋が前記ハンガーに掛止されている請求項１乃至３のいずれかの項に記載の収納袋付きハンガー。
【請求項５】
前記折り返された部分とこの折り返された部分に対向している袋面とが、仮止め手段により仮止めされている請求項４に記載の収納袋付きハンガー。
【請求項６】
前記収納袋は、縦長形状であり、前後幅方向及び上下方向に折り畳まれた状態で前記ハンガーに掛止されており、折り畳まれることにより上方に向けられた袋途中面の上部分又は袋底面の上部分が、前記折り返された部分とこの折り返された部分に対向している袋面との間に位置し、前記袋途中面又は袋底面と前記折り返された部分とが、仮止め手段により仮止めされている請求項４に記載の収納袋付きハンガー。
【考案の詳細な説明】
【考案の詳細な説明】
【技術分野】
【０００１】  本考案は、インナーウエアを掛止させて店頭で陳列販売するために用いられる専用のハンガーと物品収納袋とが組み合わされた、収納袋付きハンガーに関する。
【背景技術】
【０００２】  例えば、女性用インナーウエアは、多くの場合、店頭では、専用のハンガーに掛止されて陳列販売され、このようにすると、顧客は、好みに合った商品を容易に目にすることができ、店にとっても商品を見栄え良く、しかも効率良く陳列でき、顧客が商品に手を触れた後の整理が殆ど不要である。【０００３】  女性用インナーウエアを支持させる従来タイプのハンガーは、これを店頭で掛止させて陳列販売するためのみにあり、顧客がその商品の購入を決めると、この商品は、ハンガーから取り外されて、包装紙で包まれ、或いは包装用袋に入れられて、顧客に手渡される。【０００４】  顧客が女性用インナーウエアを購入する際の判断材料には、製造会社名，使用素材，サイズ，デザイン，価格などが挙げられ、また、商品の宣伝効果，その場の雰囲気や衝動なども大きく影響する。【０００５】  しかしながら、女性用インナーウエアに付されているラベル，タグ，布片などはいずれも顧客が商品を手に取って顔を近づけなければ目にすることが出来ない小形のものであるため、顧客に対する初期の需要喚起という点において、十分といえるものではなかった。【０００６】  ハンガーに支持されている商品の広告宣伝効果を高める手段に、例えば、特許文献１に記載の広告付きハンガーが公知である。この特許文献に記載の第１実施形態による広告付きハンガーは、広告物を収納した透明の広告物収納体がハンガーに吊り下げられて成り、第２実施形態による広告付きハンガーは、ハンガーの中央面に広告が表示されて成る。
【特許文献１】実用新案登録第３０７３９７５号公報
【考案が解決しようとする課題】
【０００７】  しかしながら、上記従来技術における第１実施形態の広告付きハンガーは、広告物が透明の広告物収納体の中に入れられているために、顧客が商品を見る角度によっては、店内の照明，太陽光などが透明の広告物収納体に反射して、広告物に記されている文字や絵模様などが見えにくくなることが十分に予想される。
【０００８】  また、この種の広告が顧客の購入意欲を促進させる効果がどの程度あるのかについても不明である。インナーウエアをこの種の広告物収納体とともに陳列すると、商品の周辺が煩雑に見え、商品を引き立たせることが出来なくなることも予想される。
【０００９】  上記従来技術における第２実施形態の広告付きハンガーのように、ハンガーに、商品の製造会社名，販売店名，ブランド名，ブランドマークなどを刻印し、或いは印刷表示することは、それ以前より古くから行われており、この種の広告による宣伝効果が、然程期待できないことは周知のとおりである。
【００１０】  このような背景下において、考案者は、女性用インナーウエアを専用のハンガーに掛止させて陳列販売するときに、どのようにすればインナーウエアを引き立たせて見せることが出来るのか、また、顧客の関心を引き、購入意欲を促進させることが出来るのか、数多くある各社製品の中でとくに注目する商品に見せるためにはどのようにすれば良いのか、という点について鋭意検討を重ねた。
【００１１】  また、考案者は、男性用インナーウエアが、従来より透明のプラスチック袋に入れられ、或いは紙箱に入れられて、店頭販売されているが、女性用インナーウエアと同様に、専用のハンガーに掛止させて陳列販売することが好ましいと考え、これについても併せて考慮した
【００１２】  その結果、インナーウエアを引き立たせるためには、その周辺環境、とくに背景色が重要であり、このようにすると高級感のあるインナーウエアに見せることが判った。
また、インナーウエアを包装するパッケージデザインも重要であることが判った。
また、顧客に好まれる景品を提供すると、購入意欲を向上させることも判った。
【００１３】  本考案は、これらが十分に吟味検討された収納袋付きハンガーを提供することを課題とする。
【課題を解決するための手段】
【００１４】  本考案の請求項１係る収納袋付きハンガーは、左右方向に向けられた肩部の中央上端部から上方に向けてフック部が設けられ、前記肩部の左右個所にインナーウエアを両側から掛止させる掛止部が設けられたハンガーと、該ハンガーの横幅よりも狭い横幅を有し、該ハンガーのフック部の首元又は前記肩部に掛止されて吊り下げられる収納袋と、が組み合わされて成るところに特徴がある。
【００１５】  本考案の請求項１に係る収納袋付きハンガーに用いられているハンガーは、ショーツ，ブラジャー，スリップなどの女性用インナーウエアのみならず、男性用インナーウエアを掛止して、店頭で陳列販売するために用いられているハンガーである。
この種のハンガーは、従来では女性のインナーウエア用のものが各種見られるが、本考案においては、女性のインナーウエア用のハンガーだけでなく、男性のインナーウエア用のハンガーも含まれる。上記掛止には、吊下げた状態で掛止する場合も含まれる。
【００１６】  これらのハンガーでは、少なくとも、左右方向に向けられた肩部の中央上端部から上方に向けてフック部が設けられ、前記肩部の左右個所にインナーウエアを両側から掛止させる掛止部が設けられた形状のハンガーであれば足るとされ、従来から店頭に出回っている女性用インナーウエアを掛止させるハンガーの殆どは、この基本的形状を有する。
例えば、ショーツ及びブラジャーは、その両側部分がハンガーの掛止部に掛止されて、ハンガーの前面側に取り付けられる。ここにいう掛止は、係止、クリップ状の或いはピンチ状のものによる挟みつけも含まれると解する。ブラジャーの及びスリップの肩掛け紐は、ハンガーの肩部の両端近傍に、滑り落ちないようにクリップ状のもので上から挟み付けられた状態で掛けられる。
男性用インナーウエアを掛止させるハンガーもこれと略同様のものである。
【００１７】  本考案の請求項１に係る収納袋付きハンガーに用いられている収納袋は、紙袋，又は合成樹脂シート又はフィルムを素材とする袋，或いは織布又は不織布を素材とする袋である。この収納袋は、インナーウエアの後側に位置するように、インナーウエアとともに前記ハンガーに支持されるようにするため、この収納袋の横幅は、前記該ハンガーの横幅よりも狭くなっている。
【００１８】  従来では、ハンガーに係止されて陳列されているインナーウエアは、その後方が透けて見えるため、煩雑に見えることがあったが、このようにインナーウエアの後側に幅広い収納袋を位置させると、視覚面においてインナーウエアを格段に引き立たせて見せる。しかも、収納袋の色次第では、インナーウエアに高級感を持たせ、顧客の関心を惹く。
【００１９】  この収納袋は、請求項２では、ハンガーに係止されているインナーウエアを顧客が購入したときに、これを収納するための持ち帰り用の袋とされ、折り畳まれた状態で前記ハンガーに掛止されている。この折り畳み方向は、上下方向の折り畳みと、前後幅方向の折り畳みのいずれか又は双方である。
【００２０】  また、この収納袋は、請求項３では、その内部に販売促進用の景品を収納した袋とされる。販売促進用の景品は、例えば、化粧用具を入れる小形のポーチ、着替えのインナーウエアのいれるための袋、香料、ハンカチなどが挙げられるが、これらの景品に限定されるものではなく、時期，流行，実用性に見合った景品が選択される。
【００２１】  この収納袋は、ハンガーのフック部の首元又は前記肩部に掛止されて吊り下げられるものであり、より具体的には、例えば、請求項４において示される。
請求項４に記載の収納袋付きハンガーは、請求項１乃至３のいずれかの項に記載の特徴を有し、更に、前記収納袋は、袋口の近傍面になる正面側上部面と背面側上部面の各中央個所に夫々前記フック部を挿通させ得る大きさを有する横長形状のフック部挿入口が形成されて成り、
前記正面側上部面と前記背面側上部面とが重ね合わされ、更に重ね合わされた状態にあるこれらの上部面における前記フック挿入口の両側部分から上方に位置する袋上部分が下方に折り返されて、
この折り返された部分と、この折り返された部分に対向している袋面との間に、前記ハンガーの肩部を挟んだ状態で、物品収納袋が前記ハンガーに掛止される。
【００２２】  このようにして、収納袋を前記ハンガーに掛止させると、収納袋は、ハンガーの両肩部に掛止されるため、左右方向に傾いて見栄えが悪くなるようなことがない。また収納袋の重心がハンガーの重心と略揃い、ハンガーが前後いずれかの方向に大きく傾いたりしない。
この収納袋は、後述する実施例において、より明確に理解される。
この他にも、収納袋に吊り下げ用の紐を取り付けて、この紐を利用して収納を前記フックの首元に掛止させるようにしてもよい。
【００２３】  収納袋の下方に折り返された部分が、上方に戻らないようにするためには、例えば、請求項５に記載のように、前記折り返された部分とこの折り返された部分に対向している袋面とが、仮止め手段により仮止めされる。
【００２４】  この仮止め手段は、例えば、片面に粘着面を有するシール、収納袋の形成された舌片をスリット内に挿入させて仮係止させる組み合わせ、更に簡易には粘着テープによる仮止めなどが挙げられる。
【００２５】  収納袋の横幅は、上述したように前記ハンガーよりも狭くなっているために、インナーウエアを収納するために十分な大きさでないことがある。このため、収納袋の上下長さを長くすることが考えられるが、上下方向に長い収納袋は、店頭で前記ハンガーに掛止させた場合、見栄えが悪く見えることがあり、また、搬送のときの梱包が嵩張る。
【００２６】  このような不具合を解消する請求項６に係る収納袋付きハンガーは、請求項４に記載の特徴を有し、更に、前記収納袋は、縦長形状であり、前後幅方向及び上下方向に折り畳まれた状態で前記ハンガーに掛止され、
折り畳まれることにより上方に向けられた袋途中面の上部分又は袋底面の上部分が、前記折り返された部分とこの折り返された部分に対向している袋面との間に位置し、前記袋途中面又は袋底面と前記折り返された部分とが、係止手段により仮係止されている。
即ち、収納袋を見栄え良い大きさまで上下方向に折り畳んだ状態で、ハンガーに掛止させるようにした。この収納袋は、持ち帰り用のインナーウエアを収納する袋として使用される。
【考案の効果】
【００２７】  請求項１に係る収納袋付きハンガーによれば、ハンガーに係止されて陳列されているインナーウエアの後側に幅広い収納袋を位置させることを可能にした結果、視覚面及び心理面においてインナーウエアを引き立たせて見せ、顧客に好印象を与え、顧客の関心を惹きつけることが出来るようになった。
【００２８】  請求項２に係る収納袋付きハンガーによれば、収納袋を、ハンガーに係止されているインナーウエアを顧客が購入したときに、これを収納するための持ち帰り用の袋にした結果、店頭で従来行われていた包装よりも、顧客の関心を惹くことが出来るようになり、インナーウエアの製造会社は、自社のイメージ色及びデザインに合わせた包装袋を、無駄なく供給することが出来るようになり、顧客に好まれる収納袋にすることが出来るようになった。
しかも、折り畳んだ状態でハンガーに掛止させるようにした結果、店頭までの搬送が嵩張らず、店頭における陳列の邪魔にならない。
【００２９】  請求項３に係る収納袋付きハンガーによれば、前記収納袋を、その内部に販売促進用の景品を収納した袋した結果、顧客に喜ばれ、顧客の関心を惹き、購入意欲を促進させる収納袋付きハンガーにすることが出来るようになった。
【００３０】  請求項４に係る収納袋付きハンガーによれば、前記収納袋の上部が下方に折り返され、この折り返された上端中央に設けられているフック部挿入口内に下方から上方に向けてハンガーのフック部を通し、この折り返された部分と、この折り返された部分に対向している袋面との間に、前記ハンガーの肩部を挟んだ状態で、物品収納袋が前記ハンガーに掛止されるようにした結果、収納袋を左右に傾かない安定した姿勢、即ち、見栄え良く、ハンガーに掛止させることが出来るようになった。また、収納袋が不用意にハンガーから外れ落ちないようにすることが出来るようになった。
【００３１】  請求項５に係る収納袋付きハンガーによれば、収納袋の下方に折り返された部分とこの折り返された部分に対向している袋面とが、仮止め手段により仮止めされているため、収納袋を更に安定した姿勢でハンガーに掛止させることが出来るようになった。また、収納袋の下方に折り返された部分が上方に向いて、フック部を掛金具に掛止させる邪魔になることもない。
【００３２】  請求項６に係る収納袋付きハンガーによれば、前記収納袋をハンガーに掛止させた状態にあるときには折り畳まれ、ハンガーから取り外した状態にすると縦長形状になるようにした結果、インナーウエアを入れるために十分な大きさの収納袋にすることが出来るようになった。また、ハンガーに掛止された状態収納袋を見栄え良く、ハンガーに掛止させることが出来るようになった。
【考案を実施するための最良の形態】
【００３３】  本考案を実施するための最良の形態は、次の実施例１に示す収納袋付きハンガーである。
【実施例１】
【００３４】  図１は本考案の実施例１に係る収納袋付きハンガー１を、女性用インナーウエア２を掛止させた状態で示した正面図、図２はこの収納袋付きハンガー１を構成する専用のハンガー３とインナーウエア２を入れるための収納袋１０を示した正面図であり、図１に示す収納袋１０は、上下方向及び前後幅方向に折り畳まれた状態にあり、図２の下段に示す収納袋１０は、作図の都合上、上下方向の途中まで折り畳まれた状態で示している。【００３５】  好ましい形態とされる、上記ハンガー３は、左右に長い肩部４を有し、肩部４の中央上端部から上方に向けてフック部５が設けられ、肩部４の左右両端上部に上下２段のクリップ部６Ｌ，６Ｒ、７Ｌ，７Ｒが形成され、肩部４の下端縁から斜め下方に向けて複数本の係止部８Ｌ，８Ｌ・・、８Ｒ，８Ｒ・・が突出形成され、肩部３の左右両端にクリップ部９Ｌ，９Ｒが形成された、略平坦な形状を有するポリスチレン製のものである。【００３６】  図３は収納袋１０を広げた状態で示した斜視図であり、図１〜図３に示す収納袋１０は、上端に袋口を有する有底の紙製のものであり、袋口の近傍面になる正面側上部面１１と背面側上部面１２の各中央個所に夫々前記フック部４を挿通させ得る大きさを有する横長楕円形状のフック部挿入口１３，１４が形成された、縦長形状のものである。【００３７】  図４及び図５は収納袋１０を図２の下段に示す形状まで折り畳む手順を示しており、１５は収納袋１０の底部を示している。【００３８】  図６は収納袋１０をハンガー３に掛止させる方法を示した斜視図であり、図５に示す状態まで折り畳まれた収納袋１０は、図６に示すフック部挿入口部の１３，１４の両側に示す折線１５から上方に位置する袋上部分１６が、図５に示すように下方に折り返される。１７はこのようにして下方に折り返された部分として示している。このように、前後に重ね合わされた状態の袋上部分１６を下方に折り返すと、重なったフック部挿入口１３，１４が収納袋１０の上端中央に位置する。【００３９】  収納袋１０をハンガー３に掛止させる場合には、図６に示すように、重なったフック部挿入口１３，１４の下方から上方に向けてハンガー３のフック部４を挿入させて、フック部４を上方に突出させる。このようにすると、収納袋１０の上端の左右部分１８Ｌ，１８Ｒがハンガー３の左右両肩部分３Ｌ，３Ｒに掛けられた状態になり、収納袋１０の下方に折り返された部分１７の下端近傍の外側面と、下方に折り返された部分１７に対向する袋途中面１８とを、粘着シール１９で仮止めする。収納袋１０はこのようにして、ハンガー３に掛止される。【００４０】  このようにして収納袋１０がハンガー３に掛けられると、図７及び図８に示す収納袋付きハンガー１になる。図７は実施例１の収納袋付きンガー１を示した正面図、図８は背面図である。【００４１】  そして、この実施例１の収納袋付きハンガー１の前面側に、図１に示すように、インナーウエア２が係止される。上記各図に示すハンガー３及び収納袋１０は、好適とされる一例であり、これらの図に示す形状のものに限定されるものではない。【００４２】  図１に示すように、インナーウエア２の後側に比較的大きく平坦な形状の収納袋１０を位置させると、インナーウエア２の後方の雑然とした背景が隠れ、インナーウエア２を引き立たせて見せることが出来るようになる。上記各図では、収納袋１０が着色されていないが、インナーウエア２を見栄え良くさせる色、インナーウエア２の製造会社のコーポレート色などに着色されていることが好ましく、また、図示していないが、収納袋１０の前面及び背面に、インナーウエア製造会社のブランドロゴ、ブランドマークなどが、見栄え良く印刷されていても良い。
【実施例２】
【００４３】  図９は本考案の実施例２に係る収納袋付きハンガー１Ａを、女性用インナーウエア２を掛止させた状態で示した正面図で示し、図１０は本考案の実施例２に係る収納袋付きハンガー１Ａを正面図で示し、図１１はこれを背面図で示し、図１２はこれを右側面図で示している。【００４４】  図９乃至図１２に示す本考案の実施例２に係る収納袋付きハンガー１Ａでは、収納袋１０Ａは、販売促進用の景品３０が収納された袋で構成される。
この収納袋１０Ａは、前後幅方向に広がるが、上下方向に折り畳んだ状態でハンガーに掛止させるものではない。
この収納袋１０Ａをハンガー３に掛止させる構造及び方法は、実施例１の場合と同様であるため、ここでは図示するだけに止めておく。【００４５】  図９に示すように、ハンガー３に掛止された収納袋１０Ａの前面側にインナーウエア２が位置するように、インナーウエア２がハンガー３に掛止される。
尚、実施例１において示される図１〜図８と、実施例において示される図９〜図１２において、共通する部分には、同一符号が付されている。【００４６】  図９に示すように、実施例２に係る収納袋付きハンガー１Ａの前面側にインナーウエア２を位置させるようにして、インナーウエア２をハンガー３に掛止させても、インナーウエア２の後方の雑然とした背景が隠れ、インナーウエア２を引き立たせて見せることが出来るようになる。図９〜図１２では、収納袋１０Ａが着色されていないが、インナーウエア２を見栄え良くさせる色、インナーウエア２の製造会社のコーポレート色などに着色されていることが好ましく、また、図示していないが、収納袋１０Ａの前面及び背面に、インナーウエア製造会社のブランドロゴ、ブランドマークなどが、見栄え良く印刷されていても良い。
また、収納袋１０Ａとその中に収納されている景品３０が、顧客の関心を惹きつける。
【図面の簡単な説明】
【００４７】
【図１】本考案の実施例１に係る収納袋付きハンガーを、女性用のインナーウエアを係止させた状態で示した正面図である。
【図２】実施例１に係る収納袋付きハンガーを構成する専用のハンガーと、インナーウエアを入れるための収納袋を示した正面図である。
【図３】収納袋を広げた状態で示した斜視図である。
【図４】収納袋を折り畳む手順を示した図である。
【図５】収納袋を折り畳む手順を示した図である。
【図６】収納袋をハンガーに掛止させる方法を示した斜視図である。
【図７】実施例１に係る収納袋付きハンガーを示した正面図である。
【図８】実施例１に係る収納袋付きハンガーを示した背面図である。
【図９】本考案の実施例２に係る収納袋付きハンガーを、女性用のインナーウエアを係止させた状態で示した正面図である。
【図１０】実施例２に係る収納袋付きハンガーを示した正面図である。
【図１１】実施例２に係る収納袋付きハンガーを示した背面図である。
【図１２】実施例２に係る収納袋付きハンガー示した右側面図である。
【符号の説明】
【００４８】  １    本考案の実施例１に係る収納袋付きハンガー
２    女性用インナーウエア
３    ハンガー
４    肩部
５    フック部
６Ｌ，６Ｒ  クリップ部
７Ｌ，７Ｒ  クリップ部
８Ｌ，８Ｒ  係止部
９Ｌ，９Ｒ  クリップ部
１０    収納袋
１１    正面側上部面
１２    背面側上部面
１３，１４  フック部挿入口
１５    底部
１６    袋上部分
１７    下方に折り返された部分
１８    袋途中面
１９    粘着シール
１Ａ  本考案の実施例２に係る収納袋付きハンガー
１０Ａ  収納袋
３０    景品
【図１】
0003131787.tif 000003
【図２】
0003131787.tif 000004
【図３】
0003131787.tif 000005
【図４】
0003131787.tif 000006
【図５】
0003131787.tif 000007
【図６】
0003131787.tif 000008
【図７】
0003131787.tif 000009
【図８】
0003131787.tif 000010
【図９】
0003131787.tif 000011
【図１０】
0003131787.tif 000012
【図１１】
0003131787.tif 000013
【図１２】
0003131787.tif 000014